(57)【特許請求の範囲】
【請求項１】
空気中に浮遊する臭気分子および有害ガス成分の少なくとも一つを吸着した脱臭機能剤（２４９）の再生処理を行う脱臭機能再生装置（２００）であって、
吸込口（２１３、２１４）と、吹出口（２１２）と、前記吸込口（２１３，２１４）から前記吹出口（２１２）へと空気を導く主流路と、前記主流路の一部をバイパスさせた流路であって前記脱臭機能剤（２４９）を収納可能な空間を含むバイパス流路と、前記脱臭機能剤（２４９）を出し入れするための開口と、前記開口を開閉可能な扉（Ｂ２）と、を有するケーシング（２１１）と、
前記ケーシング（２１１）内に収容され、前記脱臭機能剤（２４９）が吸着した前記臭気分子および有害ガス成分の少なくとも一つを分解または不活化する活性種を、前記脱臭機能剤（２４９）を収納可能な空間に対して供給可能となるように、生じさせる活性種生成部（２６３）と、
前記ケーシング（２１１）内に空気流を生じさせる送風部（２３０）と、
を備え、
前記脱臭機能剤（２４９）を出し入れ可能な開口は、前記バイパス流路内の空間と前記ケーシング（２１１）外の空間とを繋ぐように、前記バイパス流路の壁面の一部を貫通させており、
前記扉（Ｂ２）は、前記バイパス流路の壁面の一部を構成している、
脱臭機能再生装置（２００）。
【請求項２】
前記ケーシング（２１１）内の前記主流路の途中に設けられ、通過する空気を清浄化させるフィルタ（２４３）をさらに備え、
前記バイパス流路は、前記主流路のうち前記フィルタ（２４３）の前記吹出口（２１２）側から、前記主流路のうち前記フィルタ（２４３）の前記吸込口（２１３、２１４）側に空気を導く流路である、
請求項１に記載の脱臭機能再生装置（２００）。
【請求項３】
前記脱臭機能剤（２４９）を収容可能な脱臭機能剤ケーシング（Ｂ２）をさらに備え、
前記扉（Ｂ２）は、前記脱臭機能剤ケーシングと（Ｂ２）一体化している、
請求項１または２に記載の脱臭機能再生装置（２００）。
【請求項４】
前記扉（Ｂ２）を閉じた状態では、前記脱臭機能剤ケーシング（Ｂ２）と前記バイパス流路とは互いに隣接して配置され、前記脱臭機能剤ケーシング（Ｂ２）内と前記バイパス流路内とは空気が往来可能なように連通している、
請求項３に記載の脱臭機能再生装置（２００）。
【請求項５】
前記バイパス流路は、前記フィルタ（２４３）の下流側の空気を、前記主流路の前記フィルタ（２４３）の上流側へと導く、
請求項１から４のいずれかに記載の脱臭機能再生装置（２００）。
【請求項６】
前記フィルタ（２４３）は、前記活性種が供給されることで活性化される光触媒フィルタ（２４３）である、
請求項１から５のいずれかに記載の脱臭機能再生装置（２００）。
【発明の詳細な説明】
【技術分野】
【０００１】
本発明は、脱臭機能再生装置に関する。
【背景技術】
【０００２】
脱臭剤は、一定期間利用すると脱臭効果が低下するため、交換する必要がある。そのため、従来は、水で洗ったり、光触媒を活用し自然光で再生したりするなどの、脱臭剤をリサイクルする装置が開発されている。
【０００３】
特許文献１（特開平７−３１３８３６公報）の技術では、感光材料用処理液から発生する酢酸、亜硫酸、アンモニア、アミン等の臭気成分の水溶性が高いことに着目し、これら臭気成分を吸着した脱臭剤を洗浄水で洗浄することにより、脱臭剤に吸着した臭気成分を分離し、脱臭剤の脱臭性能を回復させている。
【０００４】
また、特許文献２（特開平１０−２２７４６９公報）の技術では、筐体内に吸い込まれる空気の流路に、吸着した臭気成分を光励起により分解脱臭する光触媒脱臭体を配置し、光触媒脱臭体に外部からの光を導入照射する光導入手段を設けている。この構成により、光触媒脱臭体に吸着された臭気成分は、光導入手段により、太陽光および室内灯などの外部からの光が光触媒脱臭体に積極的に照射されることで、酸化分解され、脱臭機能の再生が行われている。
【発明の概要】
【発明が解決しようとする課題】
【０００５】
しかしながら、水洗いは手間が掛かる上に、汚水処理が必要であり、乾燥に時間がかかる。また、自然光で再生する場合には、光が届きにくい脱臭剤内部は、光の強弱や環境に左右され易く再生が困難であるため、再生処理に多くの時間を費やしている。
【０００６】
本発明の課題は、脱臭機能剤に吸着された臭気や有害ガス成分を、手間を掛けずに短時間で確実に、しかも汚水を発生させずに分解することで脱臭機能剤の脱臭性能の再生を行うことにある。
【課題を解決するための手段】
【０００７】
第１発明の脱臭機能再生装置は、空気中に浮遊する臭気分子および有害ガス成分の少なくとも一つを吸着した脱臭機能剤の再生処理を行う脱臭機能再生装置であって、ケーシングと活性種生成部と送風部とフィルタとを備えている。ケーシングは、吸込口と、吹出口と、吸込口から吹出口へと空気を導く主流路と、主流路の一部をバイパスさせた流路であって脱臭機能剤を収納可能な空間を含むバイパス流路と、脱臭機能剤を出し入れするための開口と、開口を開閉可能な扉と、を有している。活性種生成部は、ケーシング内に収容され、脱臭機能剤が吸着した臭気分子および有害ガス成分の少なくとも一つを分解または不活化する活性種を、脱臭機能剤を収納可能な空間に対して供給可能となるように、生じさせる。送風部は、ケーシング内に空気流を生じさせる。脱臭機能剤を出し入れ可能な開口は、バイパス流路内の空間とケーシング外の空間とを繋ぐように、バイパス流路の壁面の一部を貫通させている。扉は、バイパス流路の壁面の一部を構成している。
【０００８】
第２発明の脱臭機能再生装置は、第１発明の脱臭機能再生装置において、フィルタをさらに備えている。フィルタは、ケーシング内の主流路の途中に設けられ、通過する空気を清浄化させる。バイパス流路は、主流路のうちフィルタの吹出口側から、主流路のうちフィルタの吸込口側に空気を導く流路である。
【０００９】
第３発明の脱臭機能再生装置は、第１発明または第２発明の脱臭機能再生装置において、脱臭機能剤を収容可能な脱臭機能剤ケーシングをさらに備えている。扉は、脱臭機能剤ケーシングと一体化している。
【００１０】
第４発明の脱臭機能再生装置は、第３発明の脱臭機能再生装置において、扉を閉じた状態では、脱臭機能剤ケーシングとバイパス流路とは互いに隣接して配置され、脱臭機能剤ケーシング内とバイパス流路内とは空気が往来可能なように連通している。
【００１１】
第５発明の脱臭機能再生装置は、第１発明から第４発明のいずれかの脱臭機能再生装置において、バイパス流路は、フィルタの下流側の空気を、主流路のフィルタの上流側へと導く。
【００１２】
第６発明の脱臭機能再生装置は、第１発明から第５発明の脱臭機能再生装置において、フィルタは、活性種が供給されることで活性化される光触媒フィルタである。
【００１３】
ここで、「脱臭機能剤」としては、活性炭、シリカゲルやゼオライトなどに限られるものではなく、例えば、ハンカチ、ティッシュ、新聞紙、ダンボール紙および木などの臭気成分を吸着するあらゆるものが含まれる。
【００１４】
ここにいう「活性種生成部」とは、例えば、グロー放電器、バリア放電器、ストリーマ放電器、および、光触媒に紫外線を照射することにより活性種を発生させる機器などが含まれる。また、ここにいう「活性種」とは、例えば、高速電子、イオン、オゾン、ヒドロキシラジカルなどのラジカル種や、その他の励起分子（励起酸素分子、励起窒素分子、励起水分子）などである。
【発明の効果】
【００１５】
本発明に係る脱臭機能再生装置では、従来では一定期間ごとに交換が必要であった脱臭機能剤を再利用できるため、ゴミの発生、水洗いなどによる汚水の発生などを抑えることができる。このため、脱臭機能剤の再生処理を行う際に、環境への負担を軽減できる。また、簡単な操作で、確実に短時間で再生できるため、使い勝手を向上させることができる。
【図面の簡単な説明】
【００１６】
【図１】第１実施形態に係る脱臭機能再生装置。
【図２（ａ）】ストリーマ放電部の空気流れ方向上流側の構造を示す斜視図。
【図２（ｂ）】ストリーマ放電電極の形状を示す斜視図。
【図２（ｃ）】ストリーマ放電部の上面配置図。
【図２（ｄ）】ストリーマ放電の様子を表す図。
【図３】第１実施形態に係る制御部の概略ブロック図。
【図４】第２実施形態に係る空気清浄機の外観斜視図。
【図５】第２実施形態に係る脱臭剤ケーシング、フィルタ類、および送風装置の分解斜視図。
【図６（ａ）】第２実施形態に係るストリーマ放電部の空気流れ方向上流側の構造を示す斜視図。
【図６（ｂ）】第２実施形態に係るストリーマ放電部の上面配置図。
【図７】第２実施形態に係る制御部の概略ブロック図。
【図８】第３実施形態に係る空気調和装置の冷媒回路の概略構成および空気流れを示す図。
【図９】室内機の側面断面図。
【図１０】第３実施形態に係る制御部の概略ブロック図。
【図１１】第４実施形態に係る空気清浄機の外観斜視図。
【図１２】正面パネルを取り除いた状態での空気清浄機の外観斜視図。
【図１３】空気清浄機の背面側の外観斜視図。
【図１４】空気清浄機のファンの位置を示す図。
【図１５】メイン空気流とバイパス空気流による空気清浄の説明図。
【図１６】（ａ）メイン空気流路とバイパス空気流路を示す正面図。          （ｂ）メイン空気流路とバイパス空気流路を示す側面図。          （ｃ）メイン空気流路とバイパス空気流路を示す上面図。
【図１７】ユニット収納部の構成図。
【図１８】ストリーマ放電ユニットの外観斜視図。
【図１９】ストリーマ放電ユニットの上面視断面図。
【図２０】プラズマイオン化部の背面斜視図。
【図２１】プラズマイオン化部の上面図。
【図２２】プラズマイオン化部にプレフィルタが装着された際の正面図。
【図２３】プレフィルタの要部拡大図。
【図２４】プラズマイオン化部の要部拡大図。
【図２５】第４実施形態に係る制御部の概略ブロック図。
【図２６】変形例（Ｄ）に係る送風装置を示す図。
【図２７】変形例（Ｈ）に係る延出通路を示す図。
【発明を実施するための形態】
【００１７】
〈第１実施形態〉
＜脱臭機能再生装置の構成＞
本発明の第１実施形態に係る脱臭機能再生装置１の外観を図１に示す。脱臭機能再生装置１は、一定期間使用して脱臭効果が低下した脱臭剤４の再生処理を行う。この脱臭機能再生装置１は、脱臭剤ケーシング２、ストリーマ放電部３、高電圧ユニット３０、送風装置５、および制御部６を備えている。
【００１８】
（１）脱臭剤ケーシング
脱臭剤ケーシング２は、脱臭機能再生装置１の外表面を構成し、ストリーマ放電部３、送風装置５、および制御部６を内包する。脱臭剤ケーシング２は、本体部２ａと扉２ｂとから構成される。扉２ｂは、開閉が可能であり、扉２ｂを開けた脱臭剤ケーシング２の開口から脱臭剤４の出し入れをすることができる。
【００１９】
（２）ストリーマ放電部
ストリーマ放電部３は、図２（ａ）、図２（ｂ）、および図２（ｃ）に示されるように、主に、対向電極３２、およびストリーマ放電電極３３から構成される。対向電極３２は、方形波形状の断面を有する金属板であって、実質的に電極として機能する実電極部３２ａと複数のスリット部３２ｂとから成る。なお、スリット部３２ｂは、空気を後方側に流す役割を果たす（図２（ａ）の白抜き矢印参照）。ストリーマ放電電極３３は、電極棒３３ａと針電極３３ｂとから成る。針電極３３ｂは、電極棒３３ａにほぼ直交するように固定される。そして、このストリーマ放電電極３３は、図２（ｃ）に示されるように、対向電極３２の空気流れ方向（図２（ｃ）の白抜き矢印参照）下流側に配置される。なお、このとき、ストリーマ放電電極３３は、針電極３３ｂが対向電極３２の実電極部３２ａと対向するように配置される。
【００２０】
この放電部３２において、ストリーマ放電電極３３と対向電極３２との間に直流、交流、またはパルスの放電電圧が印加されると、両電極３２，３３間に図２（ｄ）に示されるようなストリーマ放電が生じる。このようにして、ストリーマ放電が生じると、放電場に低温プラズマが生成する。そして、この低温プラズマにより、高速電子、イオン、オゾン、ヒドロキシラジカルなどのラジカル種や、その他の励起分子（励起酸素分子、励起窒素分子、励起水分子）などが生成される。そして、これらの活性種は、空気流れに乗って脱臭剤４に供給され、脱臭剤４の脱臭性能を再生させる。
【００２１】
なお、これらの活性種は、非常にエネルギーレベルが高く、空気に含まれるアルデヒド類など小さな有機分子や、アンモニア類や、窒素酸化物を分解および消臭する能力を有する。
【００２２】
また、ストリーマ放電部３には、高電圧ユニット３０が接続されている。高電圧ユニット３０は、その放電量を制御することにより、ストリーマ放電部３が生成する活性種の生成量を調整することができる（図１、図３参照）。
【００２３】
（３）送風装置
送風装置５は、ストリーマ放電部３により生成された活性種を脱臭剤４に送り込む。この送風装置５は、図１に示されるように、ファンモータ５ａおよび送風ファン５ｂを備えている。この送風ファン５ｂは、ファンモータ５ａによって回転駆動される。ファンモータ５ａとしては、インバータ回路により周波数制御されるインバータモータが採用される。
【００２４】
（４）制御部
脱臭機能再生装置１は、さらに、マイクロプロセッサで構成される制御部６を備えている。図３に示されるように、制御部６には、制御プログラムや各種パラメータが格納されるＲＯＭ６ａ、処理中の変数などを一時的に格納するＲＡＭ６ｂなどが接続されている。また、制御部６には、温度センサ６ｃ、湿度センサ６ｄ、ガスセンサ６ｅ、スイッチ７、表示パネル８、操作パネル９ａ、およびリモコン９ｂが接続されている。
【００２５】
温度センサ６ｃ、湿度センサ６ｄ、およびガスセンサ６ｅの各種センサ類は、各センサの検出信号を制御部６へ出力する。ガスセンサ６ｅは、活性種により分解された臭気分子および有害ガス成分などから発生したガス濃度を測定することができる。これらの各種センサ類により、脱臭剤４の再生状況を判断し再生時間を自動調整することができる。
【００２６】
スイッチ７では、ストリーマ放電部３の放電のＯＮ／ＯＦＦが行われる。スイッチ７は、扉２ｂが開くとＯＦＦになり、扉２ｂが閉まるとＯＮになる。したがって、扉２ｂを開閉することにより、脱臭剤４の再生処理の開始と終了とを行わせることができる。また、扉２ｂを開けるとスイッチはＯＦＦになるため、ユーザが扉２ｂを開けた際に、ストリーマ放電部３による活性種の生成が停止する。このため、ユーザは、安全に操作できる。
【００２７】
表示パネル８は、各種センサ６ｃ〜６ｅによるモニタ情報（再生処理情報）、タイマ情報、メンテナンス情報などを表示し、ユーザなどが外部から表示パネル開口（図示せず）を介して目視できるようになっている。また、この表示パネル８は、液晶表示パネル、ＬＥＤ、その他の表示素子、またはこれらの組み合わせで構成することが可能である。
【００２８】
操作パネル９ａおよびリモコン９ｂにより、ユーザは、スイッチ７のＯＮ／ＯＦＦを行うことができる。また、操作パネル９ａおよびリモコン９ｂにより、ユーザは、脱臭剤再生運転および脱臭運転などの運転モードの変更、再生運転の処理時間の調整、各種運転モードにおける運転の開始終了などを行うことができる。
【００２９】
さらに、制御部６は、ファンモータ５ａおよび高電圧ユニット３０に接続されている。制御部６は、ユーザの操作や各種センサ６ｃ〜６ｅの検出結果などに応じて、ファンモータ５ａによる風量および高電圧ユニット３０による活性種の生成に係る放電量を制御することができる。
【００３０】
＜第１実施形態の特徴＞
（１）
この脱臭機能再生装置１は、任意の場所で使用した脱臭剤４が、脱臭剤ケーシング２内に設置される。また、この装置は、ストリーマ放電部３により活性種を生成する。そして、活性種により、脱臭剤４に吸着された臭気分子および有害ガス成分の少なくとも一つを分解し、脱臭剤４を再生する。
【００３１】
したがって、従来では一定期間ごとに交換が必要であった脱臭剤４を再利用できるため、ゴミの発生、水洗いなどによる汚水の発生などを抑えることができる。このため、脱臭剤４の再生処理を行う際に、環境への負担を軽減できる。また、簡単な操作で、確実に短時間で再生できるため、使い勝手を向上させることができる。
【００３２】
（２）
この脱臭機能再生装置１は、脱臭剤ケーシング２内に風を生じさせる送風装置５をさらに備える。したがって、脱臭剤４に活性種を積極的にふれさせることができる。このため、脱臭剤４の再生処理の効果を高めることができる。
【００３３】
（３）
この脱臭機能再生装置１は、ストリーマ放電部３において、活性種を所定時間生成する。したがって、脱臭剤４の再生処理は、所定時間が経過すると終了する。このため、ユーザは、脱臭剤４の再生処理を開始してから、終了の操作をしなくとも脱臭剤４の再生処理を終了させることができる。
【００３４】
また、この活性種を生成する所定時間を調整することができる。脱臭剤４の再生レベルは、再生処理の時間が長いほど高くなり、再生処理の時間が短いほど低くなる。したがって、ユーザは、再生処理の時間を設定することにより、脱臭剤４の汚れの度合に応じて再生処理レベルを調整することができる。このため、脱臭剤４の汚れの度合に対して、再生処理が過剰になることを抑制できるため、再生処理に消費されるエネルギーを抑制できる。また、脱臭剤４の汚れの度合に対して、再生処理が不足することを解消できるため、より確実に脱臭剤４を再生することができる。
【００３５】
（４）
この脱臭機能再生装置１は、再生処理の処理状況を検知可能な温度センサ６ｃ、湿度センサ６ｄ、およびガスセンサ６ｅなどをさらに備える。したがって、ストリーマ放電部３は、これらの各種センサ６ｃ〜６ｅが検知した処理状況に応じて所定時間を調整することができる。このため、脱臭剤４の汚れ具合に適した再生処理を自動的に行うことができる。これにより、ユーザは、再生処理時間を設定する必要が無くなるため、ユーザの操作の負担を軽減することができ、簡単に再生処理の操作を行うことができる。また、脱臭剤４の汚れに対して、再生処理が過剰になることを抑制できるため、再生処理に消費されるエネルギーを抑制できる。また、脱臭剤４の汚れに対して、再生処理が不足することを解消できるため、より確実に脱臭剤４を再生することができる。
【００３６】
また、この脱臭機能再生装置１は、各種センサ６ｃ〜６ｅにより検知された再生処理の処理状況を表示可能な表示パネル８をさらに備える。したがって、再生処理の処理状況を目視確認することができる。このため、ユーザは、処理状況をリアルタイムに確認でき、状況に応じた再生処理を行うことができる。
【００３７】
（５）
この脱臭機能再生装置１は、脱臭剤４の再生処理の開始と終了とを判断可能なスイッチ７をさらに備える。ストリーマ放電部３は、スイッチ７がＯＮになると活性種の生成を開始し、スイッチ７がＯＦＦになると活性種の生成を終了する。したがって、この脱臭剤再生処理では、脱臭剤４の再生処理の開始と終了とをスイッチ７のＯＮ／ＯＦＦで行わせることができる。このため、ユーザは、自分の判断に基づいて再生処理の開始と終了とのタイミングを決定することができる。
【００３８】
また、この脱臭機能再生装置１は、脱臭剤ケーシング２に備えられた扉２ｂがスイッチ７の役割を果たす。したがって、扉２ｂを開閉することにより、スイッチ７のＯＮ／ＯＦＦが可能である。このため、ストリーマ放電部３は、扉２ｂを開閉することにより、脱臭剤４の再生処理の開始と終了とを判断可能である。これにより、スイッチ７を形成する部品を作成する必要が無くなり、製品コストを抑えることができる。また、扉２ｂを開けるとスイッチ７はＯＦＦになるため、ユーザが扉２ｂを開けた際に、ストリーマ放電部３による活性種の生成が停止する。このため、ユーザは、安全に操作することができる。
【００３９】
〈第２実施形態〉
＜空気清浄機の全体構成＞
第２実施例に係る空気清浄機１０の外観図を図４に示す。
【００４０】
空気清浄機１０は、ビルや住宅などの室内空気を清浄し清浄後の空気を室内に送風することにより、室内を快適な環境に保つ。この空気清浄機１０は、空気清浄機ケーシング１１、送風装置４４（図５参照）、制御部５０（図７参照）、およびフィルタユニット４０（図５参照）を備えている。
【００４１】
＜空気清浄機の構成要素＞
（１）空気清浄機ケーシング
空気清浄機ケーシング１１は、空気清浄機１０の外表面を構成し、送風装置４４、制御部５０、およびフィルタユニット４０を内包する。空気清浄機ケーシング１１は、本体部１２および正面パネル１３を有している。
【００４２】
Ａ．本体部
本体部１２は、上面吸い込み口１４、側面吸い込み口１５、および吹き出し口１６を有している。上面吸い込み口１４および側面吸い込み口１５は、空気清浄機１０内において室内空気を清浄するために、室内空気を空気清浄機１０内に吸い込むための略矩形の開口である。上面吸い込み口１４は、吹き出し口１６が設けられる面と同じ本体部１２上面の正面側端部に設けられる。側面吸い込み口１５は、本体部１２の側面に左右それぞれ設けられる一対の開口である。吹き出し口１６は、本体部１２上面の背面側端部に設けられる。吹き出し口１６は、清浄後の空気を空気清浄機１０から室内に向かって吹き出すための開口である。また、本体部１２は、側面に脱臭剤４ａの出し入れが可能な開口部１９を有し、開口部には後述する脱臭剤ケーシング２０が収納されている。
【００４３】
Ｂ．正面パネル
正面パネル１３は、本体部１２の前方に設けられ、本体部１２の内部に設置されるフィルタユニット４０を覆っている。正面パネル１３は、正面吸い込み口１７および表示パネル開口１８を有している。正面吸い込み口１７は、正面パネル１３の略中央部に設けられる室内空気を空気清浄機１０内に吸い込むための略矩形の開口である。表示パネル開口１８は、後述する表示パネル５３が空気清浄機ケーシング１１外部から目視できるように設けられている。
【００４４】
（２）送風装置
送風装置４４は、各吸い込み口（上面吸い込み口１４、側面吸い込み口１５および正面吸い込み口１７）から室内空気を吸い込み、吹き出し口１６から清浄後の空気を吹き出す。この送風装置４４は、空気清浄機ケーシング１１の内方に設けられ、各吸い込み口から吸い込んだ室内空気がフィルタユニット４０を通過するように構成されている。また、送風装置４４は、図２に示されるように、ファンモータ４４ａおよび送風ファン４４ｂを備えている。この送風ファン４４ｂは、ファンモータ４４ａによって回転駆動される。ファンモータ４４ａとしては、インバータ回路により周波数制御されるインバータモータが採用される。送風ファン４４ｂとしては、遠心ファンが採用される。
【００４５】
（３）制御部
空気清浄機１０は、さらに、マイクロプロセッサで構成される制御部５０を備えている。図７に示されるように、制御部５０には、制御プログラムや各種パラメータが格納されるＲＯＭ５０ａ、処理中の変数などを一時的に格納するＲＡＭ５０ｂなどが接続されている。また、制御部５０には、温度センサ５０ｃ、湿度センサ５０ｄ、ダストセンサ５０ｅ、ガスセンサ５０ｆ、スイッチ５１、調整スイッチ５２、および表示パネル５３が接続されている。
【００４６】
温度センサ５０ｃ、湿度センサ５０ｄ、ダストセンサ５０ｅ、およびガスセンサ５０ｆの各種センサ類は、各センサの検出信号を制御部５０へ出力する。ダストセンサ５０ｅは、導入される空気中に光を照射し、空気中に含まれる煙、ホコリ、花粉、その他の粒子によって乱射されて受光素子に到達した光量を検出して、粉塵などの粒子濃度を測定することができる。ガスセンサ５０ｆは、活性種により分解された臭気分子および有害ガス成分などから発生したガス濃度を測定することができる。これらの各種センサ類により、脱臭剤４ａの再生状況を判断し再生時間を自動調整することができる。
【００４７】
スイッチ５１では、脱臭剤４ａの再生処理の開始と終了とを行わせることができる。扉２０ｂを開けるとスイッチ５１はＯＦＦになり、扉２０ｂを閉めるとスイッチ５１はＯＮになる。したがって、ユーザが扉２０ｂを開けた際に、ストリーマ放電部３ａによる活性種の生成が停止する。このため、ユーザは、安全に操作できる。
【００４８】
また、調整スイッチ５２では、ストリーマ放電部３ａによる活性種の生成量を増減させる。調整スイッチ５２は、脱臭剤４ａが脱臭剤ケーシング２０内から出されるとＯＦＦになり、脱臭剤４ａが脱臭剤ケーシング２０に入るとＯＮになる。調整スイッチ５２がＯＦＦになるとストリーマ放電部３ａにおける活性種の生成量は減少し、調整スイッチ５２がＯＮになるとストリーマ放電部３ａにおける活性種の生成量は増加する。したがって、脱臭剤４ａが脱臭剤ケーシング２０内に無い場合に、各種フィルタの分のみの活性種を提供できる。このため、調整スイッチ５２のＯＮ／ＯＦＦにより脱臭剤４ａの再生処理用の活性種の生成分を増減させることができる。
【００４９】
表示パネル５３は、運転モード、各種センサ５０ｃ〜５０ｆによるモニタ情報、タイマ情報、メンテナンス情報などを表示し、ユーザなどが外部から表示パネル開口１８を介して目視できるようになっている。また、この表示パネル５３は、液晶表示パネル、ＬＥＤ、その他の表示素子またはこれらの組み合わせで構成することが可能である。
【００５０】
操作パネル５４ａおよびリモコン５４ｂにより、ユーザは、スイッチ５１および調整スイッチ５２のＯＮ／ＯＦＦを行うことができる。また、操作パネル５４ａおよびリモコン５４ｂにより、ユーザは、脱臭剤再生運転および脱臭運転などの運転モードの変更、再生運転の処理時間の調整、各種運転モードにおける運転の開始終了などを行うことができる。
【００５１】
さらに、制御部５０は、ファンモータ４４ａおよび高電圧ユニット３０ａに接続されている。制御部５０は、ユーザの操作や各種センサ５０ｃ〜５０ｆの検出結果などに応じて、ファンモータ４４ａによる風量および高電圧ユニット３０ａによる活性種の生成に係る放電量を制御することができる。
【００５２】
（４）フィルタユニット
フィルタユニット４０は、空気清浄機ケーシング１１の内部に設けられ、各吸い込み口１４，１５，１７から吸い込んだ室内空気に含まれる微粒子を除去する。図５に示されるように、フィルタユニット４０は、プレフィルタ４１、ストリーマ放電部３ａ、脱臭剤ケーシング２０、光触媒フィルタ４２、プラズマ触媒フィルタ４３を有している。フィルタユニット４０は、各吸い込み口１４，１５，１７から吸い込んだ室内空気がプレフィルタ４１、ストリーマ放電部３ａ、脱臭剤ケーシング２０、光触媒フィルタ４２、プラズマ触媒フィルタ４３の順にフィルタユニット４０内を通過するように構成されている。
【００５３】
Ａ．プレフィルタ
プレフィルタ４１は、送風装置４４により空気清浄機ケーシング１１内に吸い込まれる空気から比較的大きな塵埃などを除去するためのフィルタである。プレフィルタ４１は、ネット部と、フレームとを有している（図示せず）。ネット部は、ポリプロピレン（以下、ＰＰという）製の糸状の樹脂網であって、空気清浄機ケーシング１１内に吸い込まれる空気に含まれる比較的大きな塵埃などが付着する。また、ネット部を構成する繊維は、ＰＰによって構成される芯と同じくＰＰによって構成される被覆層とからなる。被覆層には、可視光線型の光触媒とカテキンとが空気側に露出するように担持されている。可視光線型の光触媒は、可視光線により光触媒作用が活性化される酸化チタンなどを含んでおり、ネット部に付着する塵埃などに含まれるカビ菌や細菌などの菌やウィルスを除去する。カテキンは、ポリフェノールの一種であって、エピカテキン、エピガロカテキン、エピカテキンガレート、エピガロカテキンガレートなどの総称である。このカテキンは、ネット部に付着する塵埃などに含まれるカビ菌や細菌などの菌の繁殖を抑制したりウィルスを不活化したりする。
【００５４】
Ｂ．ストリーマ放電部
ストリーマ放電部３ａは、図２（ｂ）、図６（ａ）、および図６（ｂ）に示されるように、主に、対向電極３２、イオン化線３１、およびストリーマ放電電極３３から構成される。対向電極３２は、方形波形状の断面を有する金属板であって、実質的に電極として機能する実電極部３２ａと複数のスリット部３２ｂとから成る。なお、スリット部３２ｂは、空気を後方側に流す役割を果たす（図６（ａ）の白抜き矢印参照）。イオン化線３１は、対向電極３２の空気流れ方向（図６（ａ）の白抜き矢印参照）上流側に配置される。なお、このとき、イオン化線３１は、実電極部３２ａ間に１つずつ配置される。また、このイオン化線３１は、微小径のタングステン線材などによって形成され、放電電極として用いられる。ストリーマ放電電極３３は、電極棒３３ａと針電極３３ｂとから成る。針電極３３ｂは、電極棒３３ａにほぼ直交するように固定される。そして、このストリーマ放電電極３３は、図６（ｂ）に示されるように、対向電極３２の空気流れ方向（図６（ｂ）の白抜き矢印参照）下流側に配置される。なお、このとき、ストリーマ放電電極３３は、針電極３３ｂが対向電極３２の実電極部３２ａと対向するように配置される。
【００５５】
なお、これらの電極３１，３２，３３のうち、対向電極３２とイオン化線３１とは、プレフィルタ４１を通過した空気中に浮遊している比較的小さな塵埃を帯電させる役割を担う。一方、対向電極３２とストリーマ放電電極３３とは、後述するチタンアパタイト担持フィルタに供給する活性種を生成する役割を担う。以下、それぞれの電極の組合せについて詳述する。
【００５６】
（対向電極とイオン化線）
このストリーマ放電部３ａにおいて、イオン化線３１と実電極部３２ａとの間に高電圧が印加されると、両電極３１，３２間に放電が生じる。この結果、両電極３１，３２間を通過する塵埃などがプラス電荷に帯電される。そして、帯電された塵埃は、スリット部３２ｂを介して後方に供給され、後述する静電フィルタ（図示せず）によって静電吸着される。また、この際、塵埃に含まれるウィルスや菌なども帯電されるため、後述するチタンアパタイト（図示せず）へのウィルスや菌の吸着効率が高まる。
【００５７】
（対向電極とストリーマ放電電極）
このストリーマ放電部３ａにおいて、ストリーマ放電電極３３と対向電極３２との間に直流、交流、またはパルスの放電電圧が印加されると、両電極３２，３３間に図２（ｄ）に示されるようなストリーマ放電が生じる。このようにして、ストリーマ放電が生じると、放電場に低温プラズマが生成する。そして、この低温プラズマにより、高速電子、イオン、オゾン、ヒドロキシラジカルなどのラジカル種や、その他の励起分子（励起酸素分子、励起窒素分子、励起水分子）などが生成される。そして、これらの活性種は、空気流れに乗ってチタンアパタイト担持フィルタに供給される。また、脱臭剤４ａに供給され、脱臭剤４ａの脱臭性能を再生させる。
【００５８】
なお、これらの活性種は、非常にエネルギーレベルが高く、チタンアパタイト担持フィルタまたは脱臭剤４ａに到達する前であっても、空気に含まれるアルデヒド類など小さな有機分子や、アンモニア類や、窒素酸化物を分解／消臭する能力を有する。
【００５９】
（高電圧ユニット）
ストリーマ放電部３ａには、高電圧ユニット３０ａが接続されている。高電圧ユニット３０ａは、その放電量を制御することにより、ストリーマ放電部３ａが生成する活性種の生成量を調整することができる（図５、図７参照）。
【００６０】
Ｃ．脱臭剤ケーシング
脱臭剤ケーシング２０は、本体部２０ａと扉２０ｂとから構成される。扉２０ｂは、開閉が可能であり、扉２０ｂを開けた脱臭剤ケーシング２０の開口から脱臭剤４ａの出し入れをすることができる。扉２０ｂは、開の状態でストリーマ放電部のスイッチ５１は強制的にＯＦＦになり、閉の状態でストリーマ放電部のスイッチ５１はＯＮになる。このため、ユーザの安全性が確保される。
【００６１】
Ｄ．光触媒フィルタ
光触媒フィルタ４２は、複数回分の長さを巻き込んだロール状とされており、使用中の面が汚れた場合に引き出して汚れた部分をカットするような構成となっている。この光触媒フィルタは、静電フィルタおよびチタンアパタイト担持フィルタを張り合わせて形成されている（図示せず）。静電フィルタは、ストリーマ放電部３ａで帯電させられた塵埃などを吸着する。チタンアパタイト担持フィルタには、静電フィルタを通過する塵埃などが付着する。なお、このチタンアパタイト担持フィルタは、プレフィルタと同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、ストリーマ放電部３ａから供給される活性種により光触媒機能が活性化され、ウィルスやカビ菌、細菌などを不活化または死滅させる。
【００６２】
Ｅ．プラズマ触媒フィルタ
プラズマ触媒フィルタ４３には、アナターゼ型の二酸化チタンが担持されている。プラズマ触媒フィルタ４３では、光触媒フィルタ４２に吸着されなかった空気中のウィルスや菌などを吸着する。このプラズマ触媒フィルタ４３では、吸着された菌やウィルスなどが活性種により活性化された二酸化チタンによって死滅あるいは不活化される。
【００６３】
＜第２実施形態の特徴＞
（１）
この脱臭機能再生装置は、空気に浮遊する臭気分子および有害ガス成分の少なくとも一つを吸着する脱臭剤４ａをさらに備え空気清浄機１０を構成する。また、空気清浄機１０がその脱臭機能を利用して脱臭機能再生装置にもなっている。したがって、この空気清浄機１０では、空気に浮遊する臭気分子および有害ガス成分の少なくとも一つを吸着し脱臭することが可能である。さらに、従来では一定期間ごとに交換が必要であった脱臭剤４ａを再利用できるため、ゴミの発生、水洗いなどによる汚水の発生などを抑えることができる。このため、脱臭剤４ａの再生処理を行う際に、環境への負担を軽減できる。また、簡単な操作で、確実に短時間で再生できるため、使い勝手を向上させることができる。
【００６４】
（２）
この空気清浄機１０では、調整スイッチ５２は、ストリーマ放電部３ａによる活性種の生成量の増減を調整可能である。ストリーマ放電部３ａは、調整スイッチ５２がＯＮになると活性種の生成量を増加させ、調整スイッチ５２がＯＦＦになると活性種の生成量を減少させる。したがって、脱臭剤４ａの他にも活性種を利用する時などに、調整スイッチ５２をＯＮ／ＯＦＦすることで、脱臭剤４ａの再生処理の分だけ活性種の生成量を増減させることができる。これにより、調整スイッチ５２がＯＦＦになっても、活性種の生成を終了させずに抑制することができる。このため、エネルギーを無駄に消費することを抑制できる。
【００６５】
また、この空気清浄機１０では、調整スイッチ５２は、脱臭剤ケーシング２０に脱臭剤４ａを出し入れすることによりＯＮ／ＯＦＦが可能である。したがって、脱臭剤ケーシング２０内に脱臭剤４ａが入っていない場合に、無駄に放電することを防ぐことができる。このため、無駄なエネルギーを消費することを抑制できる。
【００６６】
〈第３実施形態〉
＜空気調和装置の概略構成＞
図８は本発明の第３実施形態に係る空気調和装置１００の冷媒回路の系統図に空気の流れの概略を付加したものである。
【００６７】
この空気調和装置１００の冷媒回路は、主として室内熱交換器６１、アキュムレータ７２、圧縮機７３、四路切換弁７４、室外熱交換器７１及び電動膨張弁７５で構成される。
【００６８】
室内機６０に設けられている室内熱交換器６１は、接触する空気との間で熱交換を行う。室内熱交換器６１は、長さ方向両端で複数回折り返されてなる伝熱管と、伝熱管が挿通される複数のフィンとからなり、接触する空気との間で熱交換を行う。また、室内機６０内には、クロスフローファン６２（室内送風部）と、クロスフローファン６２を回転駆動する室内ファンモータ６３とが設けられている。クロスフローファン６２は、円筒形状に構成され、周面には多数の羽根が設けられており、回転軸と交わる方向に空気流を生成する。このクロスフローファン６２は、室内空気を室内機６０内に吸い込ませるとともに、室内熱交換器６１との間で熱交換を行った後の空気を室内に吹き出させる。
【００６９】
室外機７０には、圧縮機７３と、圧縮機７３の吐出側に接続される四路切換弁７４と、圧縮機７３の吸入側に接続されるアキュムレータ７２と、四路切換弁７４に接続された室外熱交換器７１と、室外熱交換器７１に接続された電動膨張弁７５とが設けられている。電動膨張弁７５は、フィルタ７６および液閉鎖弁７７を介して冷媒液配管８２に接続されており、この冷媒液配管８２を介して室内熱交換器６０の一端と接続される。また、四路切換弁７４は、ガス閉鎖弁７８を介して冷媒ガス配管８１に接続されており、この冷媒ガス配管８１を介して室内熱交換器６０の他端と接続されている。また、室外機７０には、室外熱交換器７１での熱交換後の空気を外部に排出するためのプロペラファン７９が設けられている。
【００７０】
＜室内機の構成＞
次に室内機６０の構成について、図９に示す室内機６０の側面断面図に基づいて説明する。
【００７１】
室内機６０は、正面視に置いて横方向に長い室内機ケーシング６４を備えており、前述した室内熱交換器６１やクロスフローファン６２は、室内機６０の室内機ケーシング６４内に収容されている。また、室内機ケーシング６４には、脱臭機能再生装置１ｂおよび室内ダクト６９が備えられている。
【００７２】
（１）室内機ケーシング
室内機ケーシング６４は、前面パネル６４ａと底フレーム６４ｂとにより構成されている。
【００７３】
前面パネル６４ａは、室内機６０の上面、下面、前面および側面を覆っている。前面パネル６４ａの上面は、室内熱交換器６１の上方を覆っており、複数のスリット状の開口からなる吸込口６４ｃが設けられている。前面パネル６４ａの下面には、室内機６０の長手方向に沿う開口からなる吹出口６４ｄが設けられている。また、吹出口６４ｄには、室内へと吹出す空気の吹き出し角度を調整する水平フラップ６４ｅが設けられている。この水平フラップ６４ｅは、室内機６０の長手方向に平行な軸を中心に回動自在に設けられている。水平フラップ６４ｅは、フラップモータ６８（図１０参照）によって回動されることにより、吹出口６４ｄの開閉を行うことができる。
【００７４】
底フレーム６４ｂは、室内機６０の背面を構成しており、室内熱交換器６１の後方を覆っている。
【００７５】
また、室内熱交換器６１の下方には、熱交換時に室内熱交換器６１の表面に発生する水滴を受け取るためのドレンパン６４ｆが設けられている。
【００７６】
なお、室内機ケーシング６４の内部には、吸込口６４ｃから吸い込まれた室内空気の温度を検知する室内温度センサ６５や室内空気の湿度を検知する室内湿度センサ６６が収納されている（図１０参照）。
【００７７】
（２）クロスフローファン
クロスフローファン６２は、側面視において室内機６０の略中央に配置されている。クロスフローファン６２は、室内ファンモータ６３（図１０参照）によって回転駆動されることにより、吸込口６４ｃから吸い込まれ室内熱交換器６１を通り吹出口６４ｄから室内へと吹出す空気の流れを生成する。
【００７８】
（３）室内熱交換器
室内熱交換器６１は、クロスフローファン６２の前方、上方および後部上方を取り囲むように取り付けられている。室内熱交換器６１は、クロスフローファン６２の駆動により吸込口６４ｃから吸い込まれた空気や、ラジアルファン組立体（図示せず）によって室外機７０から送られてきた空気をクロスフローファン６２側に通過させ、伝熱管の内部を通過する冷媒との間で熱交換を行わせる。
【００７９】
（４）脱臭機能再生装置
脱臭機能再生装置１ｂは、室内機ケーシング６４内に配置されており、排気運転時と循環運転時に周囲を通過する空気の脱臭および除菌を行う。具体的には、脱臭機能再生装置１ｂは、第２熱交換部６１ｂの外側に配置されており、吸込口６４ｃから吸い込まれ吹出口６４ｄから吹き出される空気の流れにおける吸込口６４ｃの下流でありかつ室内熱交換器６１の上流に配置されている。なお、ここにいう「外側」とは、室内熱交換器６１に対してクロスフローファン６２が配置されている側を「内側」として、その反対側を「外側」と呼んでいる。脱臭機能再生装置１ｂは、例えば、針状の放電電極と、放電電極からごくわずかな距離を隔てて配置された対向電極とを備えているストリーマ放電部３ｂと、脱臭剤４ｂを収納可能な脱臭剤ケーシング６７とから構成されている。ストリーマ放電部３ｂは、放電電極と対向電極との間に放電電圧が印可されることによりストリーマ放電を生起させ活性種を生成する。そして、脱臭剤ケーシング６７内に収納された脱臭剤４ｂが吸着した空気中の臭気分子および有害ガス成分などを分解し、脱臭剤４ｂの再生を行う。また、脱臭機能再生装置１ｂは、吸込口６４ｃから吸い込まれ室内熱交換器６１を通過する前の空気の脱臭および除菌を行う。脱臭および除菌を行われた空気は、室内熱交換器６１を通り、吹出口６４ｄから室内へと吹き出される。
【００８０】
（５）室内ダクト
室内ダクト６９は、室内機ケーシング６４内に配置されており、室内熱交換器６１の表面に沿って設けられている。室内ダクト６９は、一端が図示しない給排気管に接続されており、他端近傍の室内熱交換器６１に面する部分と、他端の先端とに開口が設けられている。室内ダクト６９は他端の先端に設けられた開口によって、吸込口６４ｃから吸い込まれ吹出口６４ｄから吹き出される空気の流れにおける吸込口６４ｃの下流でありかつ室内熱交換器６１の上流に位置する室内機６０の内部空間に連通している。
【００８１】
（６）制御部
空気調和装置１００は、図１０に示すように制御部９０を備えている。制御部９０は、室内温度センサ６５、室内湿度センサ６６、ダストセンサ９０ｅ、およびガスセンサ９０ｆなどの各種センサ類が接続されており、各センサの検出信号が入力される。
【００８２】
ダストセンサ９０ｅは、導入される空気中に光を照射し、空気中に含まれる煙、ホコリ、花粉、その他の粒子によって乱射されて受光素子に到達した光量を検出して、粉塵などの粒子濃度を測定することができる。ガスセンサ９０ｆは、活性種により分解された臭気分子および有害ガス成分などから発生したガス濃度を測定することができる。
【００８３】
また、リモコン９１から送信される運転指令に基づいて室内機６０および室外機７０の各構成部品を制御することによって、脱臭剤再生運転および脱臭運転などの運転モードの変更、再生運転の処理時間の調整、各種運転モードにおける運転の開始終了などを行うことができる。なお、図１０は、室内機６０の制御部についてのみ示す。
【００８４】
＜第３実施形態の特徴＞
この空気調和装置１００は、ストリーマ放電部３ｂにより生成された活性種により、使用済みの脱臭剤４ｂを再生可能な脱臭機能再生装置１ｂを備えている。したがって、この空気調和装置１００は、脱臭剤４ｂが脱臭剤ケーシング内に入っている場合には、脱臭剤４ｂに吸着した臭気分子および有害ガス成分を分解することができる。このため、この空気調和装置１００の脱臭性能の向上にも寄与できる。
【００８５】
〈第４実施形態〉
＜空気清浄機の概略構成＞
［空気清浄機２００の構成］
本発明の第４実施形態に係る空気清浄機２００を図１１に示す。この空気清浄機２００は、室内の空気を清浄に保ち室内の快適性を向上させるために、室内の床に設置される床置き型空気清浄機である。空気清浄機２００は、本体部２０２とストリーマ放電ユニット２６３（図１８、図１９参照）とを備える。本体部２０２は、前後に分割可能とされており、後側に第１本体部２０３が設けられ、前側に第２本体部２０４が設けられる。ストリーマ放電ユニット２６３は、正面視において、本体部２０２の右上方に、前後方向に延びるように位置している。
【００８６】
＜第１本体部２０３＞
第１本体部２０３は、図１４に示すように、第１本体ケーシング２１１、ファンモータ２３０、送風ファン２３１（送風装置）、ユニット収納部Ｂ、光触媒フィルタ２４３（図１５参照）、プラズマ触媒フィルタ２４４（図１５参照）を有する。なお、図１４は、光触媒フィルタ２４３およびプラズマ触媒フィルタ２４４が取り外された状態の第１本体部２０３の正面図である。
【００８７】
〔第１本体ケーシング２１１〕
第１本体ケーシング２１１は、ファンモータ２３０、送風ファン２３１、ユニット収納部Ｂ、光触媒フィルタ２４３、プラズマ触媒フィルタ２４４等を内部に収納しており、図１１、図１３に示すように、吹出口２１２と、下方吸込口２１３と、側面吸込口２１４とを有している。吹出口２１２は、第１本体ケーシング２１１の上面部の背面側端部に設けられる。吹出口２１２は、清浄化された空気を空気清浄機２００から上方に向かって吹き出すための開口である。下方吸込口２１３と側面吸込口２１４とは、室内の空気を空気清浄機２００内に吸い込むための略矩形の開口である。下方吸込口２１３は、吹出口２１２が設けられる面と同じ第１本体ケーシング２１１の下方の正面側端部に設けられる。下方吸込口２１３の横方向の長さは、正面パネル２２１の横方向の長さと略同一である。側面吸込口２１４は、第１本体ケーシング２１１の左右の側面部の正面側にそれぞれ設けられる一対の開口である。
【００８８】
なお、第１本体ケーシング２１１は、後述する前面パネル２２１と共に、本体ケーシング２０６を構成している。本体ケーシング２０６の内部には、吸込口２１３，吸込口２１４を通って室内から吸い込まれ、空気清浄ユニット２４０において清浄化され、吹出口２１２から室内へと吹き出される空気が通るメイン空気流路と、吹出口２１２近傍における空気を上流側に戻すバイパス空気流路と、が設けられており、図１３、図１４および図１６（ａ）、（ｂ）、（ｃ）において示すように、このメイン空気流路を流れるメイン空気流Ｆ１およびバイパス空気流路を流れるバイパス空気流Ｆ２が送風ファン２３１によって生成される。ここで、図１６（ａ）は空気清浄機２００の正面概略図、図１６（ｂ）は空気清浄機２００の右側面概略図、図１６（ｃ）は空気清浄機２００の上面概略図をそれぞれ示している。
【００８９】
なお、送風ファン２３１よりも上流側においては、メイン空気流路は概ね前方から後方に向けて流れており、以下、「前方」とは「メイン空気流路のメイン空気流の流れ方向における上流側」を意味し、「後方」とは「メイン空気流路のメイン空気流の流れ方向における下流側」を意味する。すなわち、バイパス空気流路を流れるバイパス空気流は、概ね、後方から前方に向けて流れていることになる。
【００９０】
ここで、図１３、図１４および図１６（ａ）、（ｂ）、（ｃ）において示すように、メイン空気流路を流れるメイン空気流Ｆ１は、下方吸込口２１３および側面吸込口２１４から吸い込まれた空気を清浄化させて、吹出口２１２から吹き出す空気流である。また、バイパス空気流路を流れるバイパス空気流Ｆ２は、吹出口２１２の近傍において上方に流れ、ストリーマ放電ユニット２６３がユニット収納部Ｂに収納された状態で後方から前方に向けて流れ、後述するプラズマイオン化部２４２において正面略中央近傍まで流れた後、下降していき、後述するプレフィルタ２４１の前方まで導かれる。
【００９１】
ここで、図１３に示すように、第１本体部２０３の側面部分には、後述するように、脱臭触媒カートリッジ２４９を交換可能にするためのカートリッジ収納部Ｂ２が開閉可能に設けられており、図１３では、「開」の状態を示している。ここで、カートリッジ収納部Ｂ２には、リミットスイッチＢ２Ｓが設けられ、脱臭触媒カートリッジ２４９がカートリッジ収納部Ｂ２に収納された状態で、脱臭触媒カートリッジ２４９の脱臭触媒カートリッジ当接部２４９ＳがリミットスイッチＢ２Ｓに当接する位置関係になるように構成されている。これにより、空気清浄機２００では、後述するように、脱臭触媒カートリッジ２４９が収納された状態で、カウンタ２５１（図２５参照）のカウントが進行し、所定時間使用されることで、再生処理を終えたり、交換を報知することができるようになっている。
【００９２】
〔送風ファン２３１およびファンモータ２３０〕
図１４、図１５に示す送風ファン２３１およびファンモータ２３０は、メイン空気流路を流れるメイン空気流Ｆ１およびバイパス空気流路を流れるバイパス空気流Ｆ２を生成する。送風ファン２３１としては、遠心ファンを採用している。このため、送風ファン２３１は、回転軸方向から空気を吸い込み、回転中心から半径方向外側に向かって空気を吹き出す。ファンモータ２３０は、送風ファン２３１を回転駆動する。ファンモータ２３０としては、インバータ回路により周波数制御されるインバータモータを採用している。
【００９３】
送風ファン２３１の上流側の第１空間には、後述する空気清浄ユニット２４０（図１５参照）が収納される。送風ファン２３１の下流側の第２空間には、ファンモータ２３０、送風ファン２３１および送風ファン２３１の側面、すなわち、送風ファンの回転軸を中心とする円周方向に沿って形成されたスクロール２３３が収納されている。そして、送風ファン２３１から吹き出される空気が、スクロール２３３に沿って吹出口２１２から室内へ送り出される。
【００９４】
〔光触媒フィルタ２４３〕
光触媒フィルタ２４３は、図１５に示すように、プリーツ状に形成されており、静電フィルタおよびチタンアパタイト担持フィルタを張り合わせて形成されている。なお、この光触媒フィルタ２４３は、静電フィルタが前側に、チタンアパタイト担持フィルタが後側に面するように配置される。静電フィルタは、後述するプラズマイオン化部２４２を通過する際に帯電させられた塵埃などを吸着する。チタンアパタイト担持フィルタは、静電フィルタを通過した塵埃などを吸着する。このチタンアパタイト担持フィルタは、プレフィルタ２４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット２６３から供給される活性種により光触媒機能が活性化され、ウィルスやカビ菌、細菌などを不活化または死滅させる。
【００９５】
また、この光触媒フィルタ２４３は、プリーツ状に形成されているため、折り目に合わせて容易に折り畳むことが可能である。このため、図１２に示すように、光触媒フィルタ２４３は、折り畳んだ状態で、上方に形成された交換用フィルタ収納部Ａに収納される。
【００９６】
〔プラズマ触媒フィルタ２４４〕
プラズマ触媒フィルタ２４４は、送風ファン２３１の前方であり、且つ、光触媒フィルタ２４３の後方に配置されている。すなわち、プラズマ触媒フィルタ２４４は、送風ファン２３１と光触媒フィルタ２４３との間に配置されている。プラズマ触媒フィルタ２４４には、アナターゼ型の二酸化チタンが担持されている。プラズマ触媒フィルタ２４４では、光触媒フィルタ２４３に吸着されなかった空気中のウィルスや菌などを吸着する。このプラズマ触媒フィルタ２４４では、吸着された菌やウィルスなどが活性種により活性化された二酸化チタンによって死滅あるいは不活化される。
【００９７】
〔ユニット収納部Ｂ〕
ユニット収納部Ｂは、図１７に示すように、ストリーマ放電ユニット２６３を取り外し自在に収納し、バイパス空気流Ｆ２の流れるバイパス空気流路の一部を構成する。このユニット収納部Ｂは、ユニット収納本体Ｂ１と、ユニット収納本体Ｂ１に対して開閉自在に取り付けられるカートリッジ収納部Ｂ２と、によって構成されている。
【００９８】
このカートリッジ収納部Ｂ２には、脱臭触媒カートリッジ２４９が収納される。このカートリッジ収納部Ｂ２は、図１７に示すように、開閉部を開けた状態で、脱臭触媒カートリッジ２４９を交換することが可能になっている。カートリッジ収納部Ｂ２は、脱臭触媒カートリッジ２４９が収納されて閉じた状態において、ユニット収納本体Ｂ１のバイパス空気流路と空気の往来が可能となるように、脱臭用開口ＢＯが設けられている。これにより、バイパス空気流路を流れる空気を対象として臭気成分を吸着して分解することで、脱臭する。
【００９９】
なお、この脱臭触媒カートリッジ２４９は、一定期間以上使用すると、有効な吸着表面積が減少し、脱臭効果が低下してくる。このため、表面に吸着した臭気成分を分解して再生する処理、もしくは、寿命がつきた場合には交換する処理が必要となっている。
【０１００】
ここでは、ストリーマ放電ユニット２６３から放出される活性種は、後述する４つの連通孔２７２（図１９参照）、および、脱臭用開口ＢＯ（図１７参照）を通じて、ユニット収納本体Ｂ１のバイパス空気流路から脱臭触媒カートリッジ２４９に対して、供給される。このため、脱臭効果が低下する原因となる付着した臭気成分は、この活性種によって分解される。これにより、脱臭触媒カートリッジ２４９は、臭気成分の吸着能力が回復し、再び脱臭剤として使用できるようになって再生される。
【０１０１】
なお、このように再生化される脱臭触媒カートリッジ２４９であっても、臭気成分を効率的に吸着できる状態には限界があり、使用期間を超えて持続的に使用されると、活性種によって再生する場合であっても、脱臭能力の低下をくい留めることができない状態になる。このため、ここでは、図１３に示すように、ユニット収納部ＢにおいてリミットスイッチＢ２Ｓが設けられており、脱臭触媒カートリッジ２４９がユニット収納部Ｂに収納された状態で、リミットスイッチＢ２Ｓは脱臭触媒カートリッジ当接部２４９Ｓによって押される構造が採用されている。そして、空気清浄機２００には、図２５に示すように、脱臭触媒カートリッジ２４９がユニット収納部Ｂに収納されてリミットスイッチＢ２ＳがＯＮされている状態でのみカウントを行うカウンタ２５１が、制御部２５０に接続される形で設けられている。これにより、脱臭触媒カートリッジ２４９が収納されて使用されている時間を把握することができ、制御部２５０（図２５参照）が所定時間を超えているか否かを判断することで、交換の時期を把握することが可能になっている。
【０１０２】
ユニット収納本体Ｂ１には、ストリーマ放電ユニット２６３が取り付けられた状態において電気的に接続させて通電状態となるように本体側接触子２７５ａ、２７５ｂが設けられている。この本体側接触子２７５ａ、２７５ｂは、金属板から形成されており、第１本体部２０３に収納された電源回路（図示せず）および電源コード（図示せず）を介して電源に接続される。これにより、本体側接触子２７５ａ、２７５ｂは、長手方向におよび上下方向に離隔するようにして設けられており、後述する放電ユニット側接触子２７１と接触することによって、ストリーマ放電ユニット２６３側に電源からの電流を伝達する。ここで、本体側接触子２７５ａは、後方側に位置してストリーマ放電電極２７０と接触し、本体側接触子２７５ｂは前方に位置してアース板２７３と接触することになる。なお、ユニット収納本体Ｂ１は、樹脂等の絶縁材料によって形成されている。
【０１０３】
＜ストリーマ放電ユニット２６３＞
ストリーマ放電ユニット２６３は、上述したように、第１本体部２０３の右上方のユニット収納部Ｂに収納されることで配置され、メイン空気流路の一部を形成する（図１２および図１４参照）。
【０１０４】
ストリーマ放電ユニット２６３は、図１８および図１９に示すように、放電ユニットケーシング２６９と、放電部２８３と、放電ユニット側接触子２７１、２８１と、を有しており、ストリーマ放電を生起させることにより、光触媒フィルタ２４３に供給する活性種を生成してバイパス空気流Ｆ２中に放出する。
【０１０５】
〔放電ユニットケーシング２６９〕
放電ユニットケーシング２６９には、放電部２８３が取り付けられる。放電ユニットケーシング２６９は、樹脂から形成された箱状の部材であり、ユニット収納部Ｂに合致する外形を有している。放電ユニットケーシング２６９は、上面および右側面が開口しており、放電部２８３の前方、後方、左側面、下面を覆っている。
【０１０６】
放電ユニットケーシング２６９は、図１７に示すように、ユニット収納部Ｂの内部に挿入され、ユニット収納部Ｂに着脱自在に取り付けられる。放電ユニットケーシング２６９は、ユニット収納部Ｂに取り付けられることによって、ユニット収納部Ｂと共に放電部２８３の周囲を覆い、バイパス空気流路を形成する。
【０１０７】
放電ユニットケーシング２６９の背面の左側面（図１９で示す上方）には、接触子カバー２７１Ｇ、２８１Ｇが長手方向におよび上下方向に互いに離隔するようにして、２箇所に設けられている。この接触子カバー２７１Ｇ、２８１Ｇは、ストリーマ放電ユニット２６３がユニット収納部Ｂに挿入される際に、ユニット収納部Ｂ側の部材とスライドすることで前後方向に挿入をガイドする機能を有している。
【０１０８】
放電ユニット側接触子２７１、２８１は、図１９に示すように、それぞれ接触子カバー２７１Ｇ、２８１Ｇの位置に対応する位置に長手方向におよび上下方向に離隔するようにして設けられている。ストリーマ放電ユニット２６３が取り付けられた状態では、図１９で示す左側は空気清浄機２００の前方となり、右側が後方となる。放電ユニット側接触子２７１および放電ユニット側接触子２８１は、上述したように、接触子カバー２７１Ｇ、２８１Ｇによってガイドされつつ、ストリーマ放電ユニット２６３がユニット収納部Ｂに挿入された状態で、それぞれ本体側接触子２７５ａおよび本体側接触子２７５ｂと接触する。
【０１０９】
また、放電ユニットケーシング２６９の下面の長手方向における中間部分には、複数の微少な孔２７７が設けられている。さらに、放電ユニットケーシング２６９の下面の長手方向における後方部分には、収納時において、上述したユニット収納部Ｂの４つの脱臭用開口ＢＯに対応する位置に、下方に向けて開口した４つの連通孔２７２が設けられている。
【０１１０】
〔放電部２８３〕
放電部２８３は、ストリーマ放電を生起させる主要部であり、ストリーマ放電電極２７０と、アース板２７３とを有する。
【０１１１】
（ストリーマ放電電極２７０）
ストリーマ放電電極２７０は、金属板２７０’を切り起こした部分に取り付けられた端子で構成されており、放電電圧が印可されることによってアース板２７３との間にストリーマ放電を生じさせる。ストリーマ放電電極２７０および金属板２７０’は、２つの絶縁支柱２７１Ｐを介して放電ユニットケーシング２６９に対して、絶縁支柱２７１Ｐの内部を通っている螺子２７１Ｓ（２つ）によって螺着されている。２つの絶縁支柱２７１Ｐのうちの一方には、放電ユニット側接触子２７１と接触するようにして螺着されている。これにより、ストリーマ放電ユニット２６３がユニット収納部Ｂに取り付けられて、放電ユニット側接触子２７１が本体側接触子２７５ａと接触した状態では、放電ユニット側接触子２７１が螺子２７１Ｓを介してストリーマ放電電極２７０と電気的に接続された状態になる。これにより、放電ユニット側接触子２７１は、本体側接触子２７５ａからストリーマ放電電極２７０に放電電圧を伝達することができる。
【０１１２】
（アース板２７３）
アース板２７３は、金属板から形成されており、ストリーマ放電電極２７０の金属板２７０’よりも大きな略長方形の外形を有する。アース板２７３は、ストリーマ放電電極２７０に対して平行に配置されており、ストリーマ放電電極２７０の近くに離れて配置されている。アース板２７３は、２つの絶縁支柱２８１Ｐを介して放電ユニットケーシング２６９に対して、絶縁支柱２８１Ｐの内部を通っている螺子２８１Ｓ（２つ）によって螺着されている。２つの絶縁支柱２８１Ｐのうちの一方には、放電ユニット側接触子２８１と接触するようにして螺着されている。これにより、ストリーマ放電ユニット２６３がユニット収納部Ｂに取り付けられて、放電ユニット側接触子２８１が本体側接触子２７５ｂと接触した状態では、放電ユニット側接触子２８１が螺子２８１Ｓを介してアース板２７３と電気的に接続された状態になる。
【０１１３】
上述したように、ストリーマ放電電極２７０に対応する本体側接触子２７５ａが本体の後方に位置することから、ユーザの手が届きにくくなっており、安全性が確保されている。また、ストリーマ放電電極２７０およびアース板２７３は、それぞれ絶縁支柱２７１Ｐ、２８１Ｐを介して樹脂で成形された放電ユニットケーシング２６９に固定されているため、絶縁性が確保されている。
【０１１４】
なお、以上の構成において、放電ユニットケーシング２６９は、ストリーマ放電電極２７０およびアース板２７３が配置される空間と、放電ユニット側接触子２７１、２８１の接点が配置される空間との間を仕切っている。これにより、放電ユニット側接触子２７１、２８１の接点は、ストリーマ放電電極２７０およびアース板２７３が配置された空間から仕切られた空間に配置される。
【０１１５】
以上のようにして、ストリーマ放電電極２７０から発生される活性種は、バイパス空気流路を流れるバイパス空気流に対して放出される。このストリーマ放電ユニット２６３において放出された活性種は、後述するプラズマイオン化部２４２の上面ガイド２４２Ｇおよび前面ガイド２４２Ｈを流れ、プレフィルタ２４１の前方に供給される。
【０１１６】
＜第２本体部２０４＞
第２本体部２０４は、図１１、図１２および図１５に示すように、第１本体部２０３の前面に着脱自在に取り付けられる。第２本体部２０４は、正面パネル２２１、プレフィルタ２４１（図１５参照）、プラズマイオン化部２４２（図１５参照）を有している。
【０１１７】
〔正面パネル２２１〕
正面パネル２２１は、第２本体部２０４の前面に設けられている。この正面パネル２２１の高さは、空気清浄機２００の奥行きより長い構成となっている。また、ここでは、人間の動きを検知して、ＯＮ／ＯＦＦ等を制御するために用いられる人検知センサ（図示せず）による検知が可能なように、半透明部Ｓが設けられている。
【０１１８】
〔プレフィルタ２４１〕
図１５および図２２に示すように、プレフィルタ２４１は、フィルタ部２４１ａと、仕切通気部２４１ｂとが設けられている。
【０１１９】
フィルタ部２４１ａは、正面パネル２２１の後方に設けられており、比較的大きなホコリや塵を除去する。フィルタ部２４１ａは、ポリプロピレン（以下、ＰＰという）製の糸状の樹脂網からなるネットと、ネットを保持するフレームとから構成されている。フィルタ部２４１ａのネットを構成する繊維には、可視光線型の光触媒とカテキンとが空気側に露出するように担持されている。可視光線型の光触媒は、可視光線により光触媒作用が活性化される酸化チタン等を含んでおり、フィルタ部２４１ａに付着する塵埃などに含まれるカビ菌や細菌などの菌やウィルスを除去する。なお、カテキンは、ポリフェノールの一種であって、エピカテキン、エピガロカテキン、エピカテキンガレート、エピガロカテキンガレートなどの総称である。このカテキンは、フィルタ部２４１ａに付着する塵埃などに含まれるカビ菌や細菌などの菌の繁殖を抑制したりウィルスを不活化したりする。
【０１２０】
仕切通気部２４１ｂは、図２２に示すように、プレフィルタ２４１の中央に上下に渡って、左右のフィルタ部２４１ａを仕切るようにして設けられている。この仕切通気部２４１ｂは、前後方向に貫通した孔２４１Ｏを複数有している。
【０１２１】
〔プラズマイオン化部２４２〕
図１１に示すように、プラズマイオン化部２４２は、プレフィルタ２４１の後方に設けられ、第２本体部２０４の背面に設けられる。プラズマイオン化部２４２は、プレフィルタ２４１を通過した空気中に浮遊している比較的小さな塵埃を耐電させる。プラズマイオン化部２４２は、図２０に示すように、主に、一対の対向電極２２２、２２３、複数のイオン化線２６６（線状電極部）、を有している。また、図２０においては、複数のイオン化線２６６のうち一部のイオン化線２６６のみに符号を付して他は省略している。
【０１２２】
（対向電極２２２、２２３）
一対の対向電極２２２、２２３は、図２０に示すように、方形波形状の断面を有する金属板であって、上下に分かれて取り付けられている。対向電極２２２、２２３は、イオン化線２６６に近接して配置されており、イオン化線２６６に高圧電流が流されることにより、イオン化線２６６との間にコロナ放電を生起させる。
【０１２３】
（イオン化線２６６）
複数のイオン化線２６６は、対向電極２２２、２２３と共に、プレフィルタ２４１を通過した空気中に浮遊している比較的小さな塵埃を帯電させる役割を担う。イオン化線２６６は、対向電極２２２、２２３の前方に配置されている。このイオン化線２６６に放電電圧が印可されることによって、イオン化線２６６と対向電極２２２、２２３との間にコロナ放電が生じる。イオン化線２６６は、空気経路に交差するように配置されており、空気経路を通過する空気流中に配置される。また、イオン化線２６６は、鉛直方向に平行に設けられており、複数のイオン化線２６６が水平方向に複数本並んで配置されている。これらのイオン化線２６６は、微小径のタングステン線材などによって形成され、塵埃等を帯電させるための放電電極として用いられる。
【０１２４】
（上面ガイド２４２Ｇ、前面ガイド２４２Ｈ）
図２１に示すように、プラズマイオン化部２４２の上面には、左右に長く下方に窪んだ溝である上面ガイド２４２Ｇが形成されている。この上面ガイド２４２Ｇは、プラズマイオン化部２４２が第１本体部２０３に取り付けられることで、第１本体部２０３によって上面が覆われ、バイパス空気流路の一部を構成する。この上面ガイド２４２Ｇの右側は、上述したユニット収納部Ｂの前面側の開口部分から活性種を含んだバイパス空気流Ｆ２が流れ込むようになっている。そして、このように流れ込んだバイパス空気流Ｆ２は、上面ガイド２４２Ｇの中央近傍から下方に向かって流れる。
【０１２５】
また、図２０、図２３および図２４に示すように、プラズマイオン化部２４２の前面の中央近傍には、上下に渡って後方側に窪んで設けられた溝および縁において前面側に突出したリブ２４３Ｒによって構成される前面ガイド２４２Ｈが設けられている。この前面ガイド２４２Ｈは、上述したプレフィルタ２４１の仕切通気部２４１ｂの輪郭に対応した形状を有している。そして、図２２に示すように、プラズマイオン化部２４２のリブ２４３Ｒに対してプレフィルタ２４１の裏面が当接し、プレフィルタ２４１の仕切通気部２４１ｂと前面ガイド２４２Ｈとの間でバイパス空気流路が形成され、上面ガイド２４２Ｇからのバイパス空気流が下方に向かう。
【０１２６】
この際、前面ガイド２４２Ｈを通過する活性種を含んだ空気によるバイパス空気流Ｆ２は、図２３に示すように、仕切通気部２４１ｂの孔２４１Ｏを介して、フィルタ部２４１ａの前方に向けて放出される。
【０１２７】
なお、プラズマイオン化部２４２に設けられているリブ２４３Ｒは、図２３および図２４に示すように、仕切通気部２４１ｂの膨出部分の一部に対応する部分は、後方に向けて窪んでいる窪み部２４４Ｒが設けられている。これにより、活性種を含んだバイパス空気流Ｆ２の一部は、プレフィルタ２４１の下流側にも提供されることになり、プレフィルタ２４１の後方の清浄部に対しても十分に活性種を提供できる。
【０１２８】
＜制御部２５０＞
空気清浄機２００に設けられている制御部２５０は、図２５に示すように、制御プログラム、脱臭触媒カートリッジ２４９の交換所定時間データ、臭気成分許容量データ等の各種パラメータが格納されるＲＯＭ２５０ａ、処理中の変数などを一時的に格納するＲＡＭ２５０ｂなどが接続されている。また、制御部２５０には、温度センサ２５０ｃ、湿度センサ２５０ｄ、ダストセンサ２５０ｅ、ガスセンサ２５０ｆ、リミットスイッチＢ２Ｓ、カウンタ２５１、表示パネル２５３、操作パネル２５４ａ、リモコン２５４ｂ、ファンモータ２３０およびストリーマ放電ユニット２６３がそれぞれ接続されている。
【０１２９】
温度センサ２５０ｃ、湿度センサ２５０ｄ、ダストセンサ２５０ｅ、およびガスセンサ２５０ｆの各種センサ類は、各センサの検出信号を制御部２５０へ出力する。ダストセンサ２５０ｅは、導入される空気中に光を照射し、空気中に含まれる煙、ホコリ、花粉、その他の粒子によって乱射されて受光素子に到達した光量を検出して、粉塵などの粒子濃度を測定することができる。ガスセンサ２５０ｆは、活性種により分解された臭気分子および有害ガス成分などから発生したガス濃度を測定することができる。これらの各種センサ類により、脱臭触媒カートリッジ２４９の再生状況を判断し再生時間を自動調整することができる。
【０１３０】
リミットスイッチＢ２Ｓでは、脱臭触媒カートリッジ２４９がユニット収納部Ｂのカートリッジ収納部Ｂ２に収納されている状態で脱臭触媒カートリッジ当接部２４９Ｓによって押されることでスイッチがＯＮになり、収納されていない状態では脱臭触媒カートリッジ当接部２４９Ｓが離れてスイッチがＯＦＦになる。そして、制御部２５０は、リミットスイッチＢ２ＳのスイッチがＯＮの状態では、カウンタ２５１によるカウントを進め、リミットスイッチＢ２ＳのスイッチがＯＦＦの状態では、カウンタ２５１によるカウントを進めない。これにより、制御部２５０は、カウンタ２５１によるカウントが、ＲＯＭ２５０ａに格納された脱臭触媒カートリッジ２４９の交換所定時間データの回数を超えたか否か判断する処理を行うとともに、所定回数を超えたと判断した場合に、脱臭触媒カートリッジ２４９の交換を知らせるサインを表示パネル２５３から報知する処理を行う。
【０１３１】
さらに、制御部２５０は、リミットスイッチＢ２ＳのスイッチがＯＮの状態において、上述したガスセンサ２５０ｆによって検知される臭気成分の量が、ＲＯＭ２５０ａに格納されている臭気成分許容量データを下回るまで、表示パネル２５３に対して、脱臭触媒カートリッジ２４９が再生中である旨の表示を行う。なお、ここでの再生処理は、タイマー等によって予め定められた所定時間だけ行うようにし、表示もこれに対応させて所定時間だけ表示させる簡易な構成としてもよい。
【０１３２】
また、表示パネル２５３は、上記表示以外にも、運転モード、各種センサ２５０ｃ〜２５０ｆによるモニタ情報、タイマ情報およびメンテナンス情報などを表示する。また、この表示パネル２５３は、液晶表示パネル、ＬＥＤ、その他の表示素子またはこれらの組み合わせで構成することが可能である。
【０１３３】
ユーザは、表示パネル２５３からの交換の報知により判断して、脱臭触媒カートリッジ２４９を新しいものに交換する場合に、操作パネル２５４ａおよびリモコン２５４ｂにより新しいものに交換した旨を入力して、カウンタ２５１のカウントをリセットさせることができる。これにより、交換された新しい脱臭触媒カートリッジ２４９についてのトータル使用時間をあらためてカウントし始めることができる。また、操作パネル２５４ａおよびリモコン２５４ｂにより、ユーザは、脱臭剤再生運転および脱臭運転などの運転モードの変更、再生運転の処理時間の調整、各種運転モードにおける運転の開始終了などを行うことができる。
【０１３４】
さらに、制御部２５０は、ファンモータ２３０およびストリーマ放電ユニット２６３に接続されている。制御部２５０は、ユーザの操作や各種センサ２５０ｃ〜２５０ｆの検出結果などに応じて、ファンモータ２３０による風量およびストリーマ放電ユニット２６３による活性種の生成に係る放電量を制御することができる。
【０１３５】
［空気清浄ユニット２４０による空気清浄作用］
この空気清浄機２００は、図１５に示すように、プレフィルタ２４１、プラズマイオン化部２４２、光触媒フィルタ２４３およびプラズマ触媒フィルタ２４４からなる空気清浄ユニット２４０（空気清浄部）、ストリーマ放電ユニット２６３および脱臭触媒カートリッジ２４９を備えており、各吸込口（下方吸込口２１３、側面吸込口２１４）から吸い込まれた室内の空気中に含まれる異物を除去して空気を清浄化する。以下、空気清浄ユニット２４０による空気清浄作用について説明する。
【０１３６】
下方吸込口２１３、側面吸込口２１４から吸い込まれた室内の空気は、まずプレフィルタ２４１のフィルタ部２４１ａを通る。この際、比較的大きなホコリや塵が空気中から除去される。また、プレフィルタ２４１に含まれる光触媒とカテキンとの作用により、プレフィルタ２４１のフィルタ部２４１ａに付着した塵埃などに含まれるカビ菌や細菌などの菌やウィルスの繁殖が抑制され、ウィルスが不活化される。
【０１３７】
プレフィルタ２４１を通過した空気流は、イオン化線２６６と対向電極２２２、２２３との間を通過する。イオン化線２６６と対向電極２２２、２２３との間に高電圧が印加されると、イオン化線２６６と対向電極２２２、２２３との間に放電が生じる。この結果、イオン化線２６６と対向電極２２２、２２３との間を通過する空気流に含まれる塵埃等がプラス電荷に帯電する。
【０１３８】
イオン化線２６６と対向電極２２２、２２３との間を通過した空気流は、光触媒フィルタ２４３を通過する。このとき、静電フィルタによって、プラズマイオン化部２４２を通過する際に帯電させられた塵埃などが吸着される。また、チタンアパタイト担持フィルタによって、静電フィルタを通過した塵埃などが吸着される。なお、イオン化線２６６と対向電極２２２、２２３とを通過した際に、塵埃に含まれるウィルスや菌なども帯電されているため、チタンアパタイトへのウィルスや菌の吸着効率が高まっている。
【０１３９】
光触媒フィルタ２４３を通過した空気流は、プラズマ触媒フィルタ２４４を通過する。プラズマ触媒フィルタ２４４では、光触媒フィルタ２４３に吸着されなかった空気中のウィルスや菌などが吸着される。
【０１４０】
プラズマ触媒フィルタ２４４を通過して、清浄化されたメイン空気流Ｆ１は、吹出口２１２から室内へと吹き出される。また、プラズマ触媒フィルタ２４４を通過した空気の一部は、室内へと吹き出されることなく、バイパス空気流路に向けてバイパス空気流Ｆ２となって流れる。
【０１４１】
バイパス空気流路には、上述したように、ストリーマ放電ユニット２６３および脱臭触媒カートリッジ２４９が設けられている。ストリーマ放電ユニット２６３においては、ストリーマ放電電極２７０とアース板２７３との間に直流、交流、またはパルスの放電電圧が印加され、ストリーマ放電電極２７０とアース板２７３との間にストリーマ放電が生じる。ストリーマ放電が生じると、放電場に低温プラズマが生成され、活性種が放電ユニットケーシング２６９内に生起し、バイパス空気流Ｆ２中に放出される。なお、これらの活性種は、エネルギーレベルが非常に高く、光触媒フィルタ２４３に到達する前であっても、空気に含まれるアンモニア類や、アルデヒド類、窒素酸化物など小さな有機分子を分解・消臭する能力を有する。
【０１４２】
ここで、ストリーマ放電電極２７０近傍を通過する空気は、プレフィルタ２４１、プラズマイオン化部２４２、光触媒フィルタ２４３およびプラズマ触媒フィルタ２４４において一端清浄化されている。このため、ストリーマ放電電極２７０の端子部分に集塵や硝酸アンモニウム等が付着してしまうことを防ぐことができる。これにより、ストリーマ放電を安定的に発生させることができる。
【０１４３】
そして、このストリーマ放電ユニット２６３から生起した活性種は、上述したように、４つの連通孔２７２および脱臭用開口ＢＯを通じて（図１７、図１９参照）、脱臭触媒カートリッジ２４９に供給され、脱臭触媒カートリッジ２４９を再生させる。具体的には、脱臭触媒カートリッジ２４９の表面に吸着されている臭気成分を分解し、臭気成分の吸着能力を向上させる。
【０１４４】
このようにして活性種を含有したバイパス空気流Ｆ２は、バイパス空気流路を通過して、プレフィルタ２４１の前方および後方に提供され、プレフィルタ２４１に付着した塵埃等に作用して清浄化させることができる。
【０１４５】
そして、活性種を含んだ空気は、イオン化線２６６と対向電極２２２、２２３との間を通過し、光触媒フィルタ２４３を通過する。このとき、静電フィルタによって、プラズマイオン化部２４２を通過する際に帯電させられた塵埃などが吸着されている。そして、チタンアパタイト担持フィルタによって、静電フィルタを通過した塵埃などが吸着されるこの際、チタンアパタイトは、ストリーマ放電ユニット２６３から供給された活性種により光触媒機能が活性化されており、ウィルスやカビ菌、細菌などを不活化または死滅させることができる。
【０１４６】
さらに、プラズマ触媒フィルタ２４４では、光触媒フィルタ２４３に吸着されなかった空気中のウィルスや菌などが吸着されており、活性種を含んだ空気により活性化された二酸化チタンによって、これらの菌やウィルスなどが死滅あるいは不活化される。
【０１４７】
＜第４実施形態の特徴＞
この空気清浄機２００では、脱臭触媒カートリッジ２４９がバイパス流路に対して、４つの連通孔２７２および脱臭用開口ＢＯを通じて、空間的に連続した構成となっている。このため、ストリーマ放電ユニット２６３において生起された活性種は、これらの４つの連通孔２７２および脱臭用開口ＢＯを通じて、脱臭触媒カートリッジ２４９に供給され、吸着している臭気成分を分解して、再生させることができる。また、再生中は、リミットスイッチＢ２ＳがＯＮとなっているため、制御部２５０は、表示パネル２５３に再生中である旨の表示をすることで、ユーザに対して再生中である旨を知らせることができる。
【０１４８】
また、この空気清浄機２００では、制御部２５０が、カウンタ２５１によるカウントデータを参照しつつ、脱臭触媒カートリッジ２４９の交換時期を表示パネル２５３に表示させて、ユーザに報知させることができる。そして、カウンタ２５１は、単に空気清浄機２００の運転時間をカウントするのではなく、実際に脱臭触媒カートリッジ２４９がカートリッジ収納部Ｂ２に収納されて、リミットスイッチＢ２ＳがＯＮとなっている状態でのみカウントしている。このため、ユーザは、脱臭触媒カートリッジ２４９のより正確な交換時期を把握することが可能になる。
【０１４９】
なお、この空気清浄機２００では、ストリーマ放電ユニット２６３を通過するバイパス空気流は、メイン空気流路において清浄化されている。このため、空気中に存在する汚れが放電部２８３に付着してしまうことを防止することができる。これにより、プラズマ放電を安定的に行うことができる。これにより、空気清浄ユニット２４０に対して活性種を安定的に提供できるため、空気清浄効果を安定化させることができる。
【０１５０】
＜変形例＞
（Ａ）
第１実施形態、第２実施形態、第３実施形態、および第４実施形態では、ストリーマ放電を利用して活性種を生成したが、グロー放電、バリア放電や光触媒に紫外線を照射することにより活性種を生成しても良い。なお、グロー放電を利用する場合は、放電電極にチタンアパタイトをコーティングしても良い。また、バリア放電を利用する場合は、放電場領域の絶縁材にチタンアパタイトをコーティングしても良い。
【０１５１】
（Ｂ）
第１実施形態では、送風装置５は脱臭剤ケーシング２内に設けられているが、脱臭剤ケーシング２の外に設けられていても良い。また、第１実施形態は、送風装置５と組み合わせて脱臭機能再生装置としているが、送風装置５を無くして単に脱臭機能再生装置のみでも良い。
【０１５２】
（Ｃ）
第１実施形態では、スイッチ７は、扉２ｂの開閉によりＯＮ／ＯＦＦが行われるが、扉２ｂの開閉に限らず脱臭剤４の出し入れによりＯＮ／ＯＦＦが行われても良いし、別にボタンスイッチなどを設けてＯＮ／ＯＦＦが行われても良いし、これらの組み合わせによりＯＮ／ＯＦＦが行われても良い。また、扉２ｂの開閉によりスイッチ７のＯＮ／ＯＦＦが行われ、活性種の生成の開始と終了とを判断しているが、調整スイッチを別に設け、扉２ｂの開閉により、調整スイッチのＯＮ／ＯＦＦを行わせ、活性種の生成量を増減させても良い。
【０１５３】
（Ｄ）
第１実施形態では、送風装置５が脱臭剤ケーシング２の内部に配設されて、脱臭剤ケーシング２の内部に風を生じさせる場合について例に挙げて説明した。
【０１５４】
しかし、本発明はこれに限られるものではなく、例えば、図２６に示すように、送風装置１０５は、脱臭剤ケーシング２の外部に配設されて、脱臭剤ケーシング２に設けられた開口２Ｏ等を介して、脱臭剤ケーシング２内に風を生じさせるような構成であってもよい。なお、他の構成は、第１実施形態と同様であり、説明を省略する。この場合でも、上記実施形態と同様の効果を奏することができる。
【０１５５】
（Ｅ）
第２実施形態では、スイッチ５１は、扉２０ｂの開閉よりＯＮ／ＯＦＦが行われるが、これらに限らずに、脱臭剤４ａの出し入れによりＯＮ／ＯＦＦが行われても良いし、別にボタンスイッチなどを設けてＯＮ／ＯＦＦが行われても良いし、これらの組み合わせによりＯＮ／ＯＦＦが行われても良い。
【０１５６】
また、調整スイッチ５２は、脱臭剤４ａの出し入れによりＯＮ／ＯＦＦが行われるが、扉２０ｂの開閉よりＯＮ／ＯＦＦが行われても良いし、別にボタンスイッチなどを設けてＯＮ／ＯＦＦが行われても良いし、これらの組み合わせによりＯＮ／ＯＦＦが行われても良い。
【０１５７】
（Ｆ）
上記第４実施形態の空気清浄機２００では、活性種がプレフィルタ２４１の前方および後方に供給される場合について例に挙げて説明した。
【０１５８】
しかし、本発明はこれに限られるものではなく、例えば、プレフィルタ２４１の後方のみであってもよく、プラズマイオン化部２４２の後方であっても、活性種の安定的な発生による効果を得ることができる。
【０１５９】
（Ｇ）
上記第４実施形態の空気清浄機２００では、脱臭触媒カートリッジ２４９がバイパス流路の一部に沿う位置に配置される場合を例に挙げて説明した。
【０１６０】
しかし、本発明はこれに限られるものではなく、例えば、活性種を吸着させる脱臭触媒フィルタを配置し、その下流側にバイオ抗体フィルタをオプションとして配置するようにしてもよい。これにより、脱臭触媒フィルタが活性種を吸着することによって臭気成分を分解しつつ、バイオ抗体を生かせたままでバイオ抗体フィルタを機能させることができる。
【０１６１】
（Ｈ）
上記第４実施形態の空気清浄機２００では、吹出口２１２近傍から流れ出ようとする空気のうちの一部がバイパス空気流Ｆ２となってユニット収納部Ｂの開口を通じてストリーマ放電ユニット２６３に供給される場合について例に挙げて説明した。
【０１６２】
しかし、本発明はこれに限られるものではなく、例えば、送風ファン２３１から吹出口２１２に向かう通路とは別個に、図２７に示すように、送風ファン２３１からの空気流れを直接ユニット収納部Ｂおよびストリーマ放電ユニット２６３に供給できる延出通路Ｄを採用した構成としてもよい。
【０１６３】
（Ｉ）
上記第４実施形態の空気清浄機２００では、送風ファン２３１は、吹出口２１２の近傍の最も下流側に一つ配置される場合について例に挙げて説明した。
【０１６４】
しかし、本発明はこれに限られるものではなく、例えば、送風ファン２３１の配置は、上記実施形態のメイン空気流Ｆ１およびバイパス空気流Ｆ２の両方が形成されるような配置であればよい。例えば、空気清浄ユニット２４０を構成するプレフィルタ２４１、プラズマイオン化部２４２、光触媒フィルタ４３およびプラズマ触媒フィルタ２４４のいずれかの間に配置するようにしてもよい。
【０１６５】
また、送風ファン２３１は、１つでなくてもよく、主としてメイン空気流Ｆ１を形成させるための送風ファンと、主としてバイパス空気流Ｆ２を形成させるための送風ファンと、の２つを設けた構成としてもよい。この場合には、バイパス空気流Ｆ２を生じさせる送風ファンは、バイパス空気流路の途中において、バイパス空気流Ｆ２を強制的に生じさせるように配置してもよい。
【産業上の利用可能性】
【０１６６】
本発明に係る脱臭機能再生装置は、脱臭剤に吸着された臭気や有害ガス成分を、手間を掛けずに短時間で確実に、汚水を発生させずに分解し、脱臭剤を再生することができるため、脱臭機能再生装置等として有用である。
【符号の説明】
【０１６７】
１，１ａ，１ｂ  脱臭機能再生装置
２，２０，６７  脱臭剤ケーシング
２ｂ，２０ｂ    扉
３，３ａ，３ｂ  ストリーマ放電部（活性種生成部）
４，４ａ，４ｂ  脱臭剤（脱臭機能剤）
５，４４        送風装置
６，５０，９０  制御部
６ｃ〜６ｅ，５０ｃ〜５０ｆ，９２ｃ〜９２ｅ  各種センサ
７，５１        スイッチ
５２            調整スイッチ
８，５３        表示パネル
１００          空気調和装置
２００    空気清浄機
２１２    吹出口
２１３    下方吸込口
２１４    側面吸込口
２３１    送風ファン
２４０    空気清浄ユニット
２４１    プレフィルタ
２４１ａ    フィルタ部
２４１ｂ    仕切通過部
２４１Ｏ    孔
２４２    プラズマイオン化部
２４２    光触媒フィルタ
２４４    プラズマ触媒フィルタ
２６３    ストリーマ放電ユニット
【先行技術文献】
【特許文献】
【０１６８】
【特許文献１】特開平７−３１３８３６
【特許文献２】特開平１０−２２７４６９
【図１】
0005218308.tif 000002
【図２（ａ）】
0005218308.tif 000003
【図２（ｂ）】
0005218308.tif 000004
【図２（ｃ）】
0005218308.tif 000005
【図２（ｄ）】
0005218308.tif 000006
【図３】
0005218308.tif 000007
【図４】
0005218308.tif 000008
【図５】
0005218308.tif 000009
【図６（ａ）】
0005218308.tif 000010
【図６（ｂ）】
0005218308.tif 000011
【図７】
0005218308.tif 000012
【図８】
0005218308.tif 000013
【図９】
0005218308.tif 000014
【図１０】
0005218308.tif 000015
【図１１】
0005218308.tif 000016
【図１２】
0005218308.tif 000017
【図１３】
0005218308.tif 000018
【図１４】
0005218308.tif 000019
【図１５】
0005218308.tif 000020
【図１６】
0005218308.tif 000021
【図１７】
0005218308.tif 000022
【図１８】
0005218308.tif 000023
【図１９】
0005218308.tif 000024
【図２０】
0005218308.tif 000025
【図２１】
0005218308.tif 000026
【図２２】
0005218308.tif 000027
【図２３】
0005218308.tif 000028
【図２４】
0005218308.tif 000029
【図２５】
0005218308.tif 000030
【図２６】
0005218308.tif 000031
【図２７】
0005218308.tif 000032